(57)【要約】【課題】本発明は、複数のＦＰを割り当てる場合のシグナリングの相互作用が繁雑になるという課題を解決する電力状態情報の処理方法、並びに該方法を用いる端末及び基地局を提供する。【解決手段】  本発明による方法は、端末（１）がアップリンクチャネルを介して基地局（３）にダウンリンク伝搬損失値が含まれるアップリンク送信電力スペクトル密度（ＵＬＴ×ＰＳＤ）情報（２）を送信することを含む。本発明によれば、シグナリングの相互作用の軽減と、リソースの節約が図られる。【選択図】図２
2013521679.tif 000002
【特許請求の範囲】
【請求項１】
電力状態情報の処理方法であって、
端末がアップリンクチャネルを介して基地局にダウンリンク伝搬損失値が含まれるアップリンク送信電力スペクトル密度情報ＵＬＴ×ＰＳＤを送信するステップを含むことを特徴とする電力状態情報の処理方法。
【請求項２】
前記アップリンク送信電力スペクトル密度情報ＵＬＴ×ＰＳＤ＝Ｌ（Ｌは前記ダウンリンク伝搬損失値）であることを特徴とする請求項１に記載の電力状態情報の処理方法。
【請求項３】
前記アップリンク送信電力スペクトル密度情報ＵＬＴ×ＰＳＤ＝Ｌ＋＜ＮＩ＞（Ｌは前記ダウンリンク伝搬損失値、＜ＮＩ＞は全ての利用可能な周波数分割領域ＦＰにおけるアップリンク干渉と雑音の平均値）であることを特徴とする請求項１に記載の電力状態情報の処理方法。
【請求項４】
前記端末が一つ又は複数のアップリンク送信電力スペクトル密度情報ＵＬＴ×ＰＳＤ（ｉ）＝Ｌ＋ＮＩ（ｉ）（Ｌはダウンリンク伝搬損失値、ＮＩ（ｉ）はインデックス番号がｉであるＦＰが対応するアップリンク干渉と雑音値、０≦ｉ≦（Ｎ‐１）で、且つｉが整数、全ての利用可能なＦＰの数がＮである）を生成することと、
前記端末が一つのアップリンク送信電力スペクトル密度情報を生成する場合、前記端末がアップリンクチャネルを介して前記基地局に前記アップリンク送信電力スペクトル密度情報を送信することは、前記端末がアップリンクチャネルを介して前記基地局に前記一つのアップリンク送信電力スペクトル密度情報を送信することを含むことと、
前記端末が複数のアップリンク送信電力スペクトル密度情報を生成する場合、前記端末が前記基地局に前記アップリンク送信電力スペクトル密度情報を送信することは、前記端末がアップリンクチャネルを介して前記基地局に前記複数のアップリンク送信電力スペクトル密度情報の一部又は全部を送信することと、
を含むことを特徴とする請求項１に記載の電力状態情報の処理方法。
【請求項５】
前記端末が一つのアップリンク送信電力スペクトル密度情報を生成する場合、前記一つのアップリンク送信電力スペクトル密度が対応するＦＰは、
前記基地局にサポートされているＦＰの中の一番目のＦＰ、前記基地局にサポートされているＦＰの中の最後のＦＰ、前記基地局にサポートされているＦＰの中のインデックス番号が一番小さいＦＰ、前記基地局にサポートされているＦＰの中のインデックス番号が一番大きいＦＰ、前記基地局にサポートされているＦＰの中の特定インデックス番号のＦＰ、前記基地局にサポートされているアップリンクメイン周波数分割領域、前記基地局にサポートされているダウンリンクメイン周波数分割領域、アップリンクチャネル所在の周波数分割領域、のいずれか一つであることを特徴とする請求項４に記載の電力状態情報の処理方法。
【請求項６】
前記基地局にサポートされているＦＰは少なくとも、
アップリンク周波数分割領域干渉電力が雑音電力に対する上昇レベルの制御因子が、対応するＦＰが利用不可を意味するＩＮＦ１ではないＦＰ集合と、
雑音と干渉値レベルが、対応するＦＰが利用不可を意味するＩＮＦ２ではないＦＰ集合、のいずれか一項が含まれることを特徴とする請求項５に記載の電力状態情報の処理方法。
【請求項７】
前記端末が一つのアップリンク送信電力スペクトル密度情報を生成する場合、前記基地局のセクターインデックス情報によって前記一つのアップリンク送信電力スペクトル密度情報の対応するＦＰを確定することを特徴とする請求項４に記載の電力状態情報の処理方法。
【請求項８】
前記基地局のセクターインデックスによって前記一つのアップリンク送信電力スペクトル密度情報が対応するＦＰを確定することは、
前記一つのアップリンク送信電力スペクトル密度情報が対応するＦＰのインデックス番号ｉ＝ＳｅｇｍｅｎｔＩＤ＋１（セクター標識であるＳｅｇｍｅｎｔＩＤは前記基地局のセクターインデックス情報）であることを含むことを特徴とする請求項７に記載の電力状態情報の処理方法。
【請求項９】
前記ダウンリンク伝搬損失値は少なくとも、
前記端末と前記基地局との間のダウンリンク経路損失値、前記端末の送信アンテナ利得、のいずれか一つを含むことを特徴とする請求項１乃至８のいずれか一項に記載の電力状態情報の処理方法。
【請求項１０】
前記端末がアップリンクチャネルを介して前記基地局に前記アップリンク送信電力スペクトル密度情報を送信する前に、さらに
前記端末が前記アップリンク送信電力スペクトル密度情報に対して一様量子化をすることを含むことを特徴とする請求項１乃至８のいずれか一項に記載の電力状態情報の処理方法。
【請求項１１】
前記端末にＦＰリソースを割り当てる度に、前記基地局が前記アップリンク送信電力スペクトル密度情報によって前記端末が割り当て待ちのＦＰにおけるアップリンク送信電力を計算することを特徴とする請求項１乃至８のいずれか一項に記載の電力状態情報の処理方法。
【請求項１２】
前記アップリンクチャネルは少なくとも、
アップリンク電力状態報告情報、ダウンリンクフィードバックチャネル情報、アップリンクデータチャネル情報、のいずれか一つを含むことを特徴とする請求項１乃至８のいずれか一項に記載の電力状態情報の処理方法。
【請求項１３】
基地局が端末からアップリンクチャネルを介して送信された前記端末と前記基地局との間のダウンリンク伝搬損失値を受信するステップを含むことを特徴とする電力状態情報の処理方法。
【請求項１４】
基地局が端末からアップリンクチャネルを介して送信された前記端末と前記基地局との間のダウンリンク伝搬損失値を受信してから、さらに
前記基地局がアップリンク送信電力スペクトル密度情報ＵＬＴ×ＰＳＤ＝Ｌ＋＜ＮＩ＞（Ｌは前記ダウンリンク伝搬損失値、＜ＮＩ＞は前記基地局の全ての利用可能なＦＰにおけるアップリンク干渉と雑音値の平均値）を生成することを含むことを特徴とする請求項１３に記載の電力状態情報の処理方法。
【請求項１５】
基地局が端末からアップリンクチャネルを介して送信された前記端末と前記基地局との間のダウンリンク伝搬損失値を受信してから、さらに
前記基地局が一つ又は複数のアップリンク送信電力スペクトル密度情報ＵＬＴ×ＰＳＤ（ｉ）＝Ｌ＋ＮＩ（ｉ）（Ｌは前記ダウンリンク伝搬損失値、ＮＩ（ｉ）はインデックス番号がｉであるＦＰが対応するアップリンク干渉と雑音値で、０≦ｉ≦（Ｎ‐１）で、且つｉが整数で、全ての利用可能なＦＰの数がＮである）を生成することを含むことを特徴とする請求項１３に記載の電力状態情報の処理方法。
【請求項１６】
前記ダウンリンク伝搬損失値は少なくとも
前記端末と前記基地局との間のダウンリンク経路損失値、前記端末の送信アンテナ利得、のいずれか一つを含むことを特徴とする請求項１３乃至１５のいずれか一項に記載の電力状態情報の処理方法。
【請求項１７】
前記ダウンリンク伝搬損失値の範囲は［５２．５ｄＢ、１８０ｄＢ］であることを特徴とする請求項１３乃至１５のいずれか一項に記載の電力状態情報の処理方法。
【請求項１８】
前記端末が前記ダウンリンク伝搬損失値情報に対して量子化をすることを特徴とする請求項１３乃至１５のいずれか一項に記載の電力状態情報の処理方法。
【請求項１９】
前記端末が前記ダウンリンク伝搬損失値情報に対して一様量子化をして、
前記一様量子化が採用する量子化レベルは、
８ビットでの２５６段階量子化、７ビットでの１２８段階量子化、６ビットでの６４段階量子化であることを特徴とする請求項１８に記載の電力状態情報の処理方法。
【請求項２０】
前記端末にＦＰリソースを割り当てる度に、前記基地局が前記アップリンク送信電力スペクトル密度情報によって前記端末が割り当て待ちＦＰにおけるアップリンク送信電力を計算することをさらに含むことを特徴とする請求項１３乃至１５のいずれか一項に記載の電力状態情報の処理方法。
【請求項２１】
アップリンクチャネルを介して基地局にアップリンク送信電力スペクトル密度情報を送信する送信モジュールを含むことを特徴とする端末。
【請求項２２】
端末がアップリンクチャネルを介して送信した前記端末と前記基地局との間のダウンリンク伝搬損失値を受信する受信モジュールを含むことを特徴とする基地局。
【請求項２３】
前記アップリンク送信電力スペクトル密度情報ＵＬＴ×ＰＳＤ＝Ｌ＋＜ＮＩ＞（Ｌは前記ダウンリンク伝搬損失値、＜ＮＩ＞は前記基地局の全ての利用可能なＦＰにおけるアップリンク干渉と雑音値の平均値）を生成する第一計算モジュールを含むことを特徴とする請求項２２に記載の基地局。
【発明の詳細な説明】
【技術分野】
【０００１】
本発明は通信技術分野に係り、具体的には、電力状態情報の処理方法、端末及び基地局に関する。
【背景技術】
【０００２】
無線通信システムにおいて、基地局は端末にサービスを提供する装置であり、アップ／ダウンリンクを介して端末と通信を行っている。ここで、ダウンリンク（又はフォワードリンク）とは基地局から端末への方向であり、アップリンク（又はリバースリンク）とは端末から基地局への方向である。複数の端末が、アップリンクを介して同時に基地局にデータを送信できる。また、ダウンリンクを介して同時に基地局からデータを受信できる。
【０００３】
直交周波数分割領域多重送信（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略称）システムにおいて、或るセルにおける基地局が他のセルの端末からの同一周波数干渉を受ける場合はアップリンクセル間干渉と呼ばれる。或るセルにおける端末が他のセルの基地局からの同一周波数干渉を受ける場合はダウンリンクセル間干渉と呼ばれる。アップリンクセル間干渉とダウンリンクセル間干渉は併せてセル間干渉という。セル間干渉がシステムのパフォーマンスに及ぼす影響を低減することは、ＯＦＤＭシステム設計における重要な目標である。セル間干渉がひどくなると、システムの容量が低下し、特にセルのエッジに存在するユーザ（端末）のデータ伝搬能力が低くなり、システムのカバー能力及び端末のパフォーマンスに影響してしまう。
【０００４】
上記セル間干渉を克服するには、端末に適切な送信電力を割り当て、基地局が端末から送信されたデータ情報を正確に受信するとともに、アップリンクセル間干渉の強度を効率的に制御できるようにしなければならない。上記目的を達成するために、端末は基地局に、例えば電力状態情報（ｐｏｗｅｒ  ｓｔａｔｕｓ  ｒｅｐｏｒｔｉｎｇ  ｉｎｆｏｒｍａｔｉｏｎ）のような、干渉制御に関する情報をフィードバックする。
電力状態情報には、例えば、ダウンリンク伝搬損失値（Ｄｏｗｎｌｉｎｋ  Ｐａｔｈｌｏｓｓ、即ち、以下、Ｌと略称）とアップリンク送信電力スペクトル密度（Ｕｐｌｉｎｋ  Ｔｒａｎｓｍｉｓｓｉｏｎ  Ｐｏｗｅｒ  Ｓｐｅｃｔｒａｌ  Ｄｅｎｓｉｔｙ、以下、ＵＬＴ×ＰＳＤと略称）などの様々な関連情報が含まれる。
【０００５】
ＯＦＤＭシステムにおいて、利用可能な周波数リソースをＮ（Ｎは零より大きい整数）個の周波数分割領域（Ｆｒｅｑｕｅｎｃｙ  Ｐａｒｔｉｔｉｏｎ、以下、ＦＰと略称）に割り当る。図１は相関技術によるＯＦＤＭシステムの周波数リソースの割り当てを示す図である。図１に示すように、Ｎ＝４を例として相関技術における周波数割り当てを説明する。利用可能な周波数リソースを４つのＦＰを割り当てる、即ち［ＦＰ０、ＦＰ１、ＦＰ２、ＦＰ３］である。
【０００６】
相関技術においては、端末にＦＰを割り当てる度に、割り当てられたＦＰにおけるＵＬＴ×ＰＳＤ情報を端末から基地局に送信するので、基地局は、ＵＬＴ×ＰＳＤ情報によって端末が割り当てられたＦＰにおけるアップリンク送信電力のみ計算できる。複数のＦＰを割り当てる場合、端末が基地局に逐次に各ＦＰのＵＬＴ×ＰＳＤ情報を送信することになっているので、シグナリングの相互作用を増加し、リソースの無駄使いになってしまう。
【発明の概要】
【発明が解決しようとする課題】
【０００７】
本発明は、電力状態情報の処理方法において、少なくとも上記従来技術における複数のＦＰを割り当てる場合のシグナリングの相互作用が繁雑になるという課題を解決することを目的とする。
【課題を解決するための手段】
【０００８】
上記目的を達成するために、本発明の一つの方面によると、電力状態情報の処理方法を提供する。
【０００９】
本発明に係わる電力状態情報の処理方法は、端末がアップリンクチャネルを介して基地局にダウンリンク伝搬損失値が含まれるアップリンク送信電力スペクトル密度情報ＵＬＴ×ＰＳＤを送信することを含む。
【００１０】
好ましくは、アップリンク送信電力スペクトル密度情報ＵＬＴ×ＰＳＤ＝Ｌで、ここで、Ｌはダウンリンク伝搬損失値である。
【００１１】
好ましくは、アップリンク送信電力スペクトル密度情報ＵＬＴ×ＰＳＤ＝Ｌ＋＜ＮＩ＞、ここで、Ｌはダウンリンク伝搬損失値であり、＜ＮＩ＞はすべての利用可能なＦＰにおけるアップリンク干渉と雑音値ＮＩの平均値である。
【００１２】
好ましくは、端末が一つ又は複数の送信電力スペクトル密度情報ＵＬＴ×ＰＳＤ（ｉ）＝Ｌ＋ＮＩ（ｉ）を生成し、ここで、Ｌはダウンリンク伝搬損失値で、ＮＩ（ｉ）はインデックス番号がｉであるＦＰが対応するアップリンク干渉と雑音値であり、０≦ｉ≦（Ｎ‐１）で、且つｉが整数であり、全ての利用可能なＦＰの数がＮである。端末が一つのアップリンク送信電力スペクトル密度情報を生成する場合、端末がアップリンクチャネルを介して基地局にアップリンク送信電力スペクトル密度情報を送信することは、端末がアップリンクチャネルを介して基地局に一つのアップリンク送信電力スペクトル密度情報を送信することを含み、端末に複数のアップリンク送信電力スペクトル密度情報を生成する場合、端末がアップリンクチャネルを介して基地局にアップリンク送信電力スペクトル密度情報を送信することは、端末がアップリンクチャネルを介して基地局に複数のアップリンク送信電力スペクトル密度情報の一部又は全てを送信することを含む。
【００１３】
上記目的を実現するために、本発明のもう一つの方面によると、電力状態情報の処理方法を提供する。
【００１４】
本発明に係わる電力状態情報の処理方法は、基地局が端末からアップリンクチャネルを介して送信された端末と基地局との間のダウンリンク伝搬損失値を受信することを含む。
【００１５】
好ましくは、基地局は端末からアップリンクチャネルを介して送信された端末と基地局との間のダウンリンク伝搬損失値を受信してから、アップリンク送信電力スペクトル密度情報ＵＬＴ×ＰＳＤ＝Ｌ＋＜ＮＩ＞を生成し、ここで、Ｌはダウンリンク伝搬損失値であり、＜ＮＩ＞は基地局の全ての利用可能なＦＰにおけるアップリンク干渉と雑音値の平均値である。
【００１６】
好ましくは、基地局は端末からアップリンクチャネルを介して送信された端末と基地局との間のダウンリンク伝搬損失値を受信してから、一つ又は複数のアップリンク送信電力スペクトル密度情報ＵＬＴ×ＰＳＤ（ｉ）＝Ｌ＋＜ＮＩ＞（ｉ）を生成し、ここで、Ｌはダウンリンク伝搬損失値で、ＮＩ（ｉ）はインデックス番号がｉであるＦＰが対応するアップリンク干渉及び雑音値であり、０≦ｉ≦（Ｎ‐１）で、且つｉが整数であり、全ての利用可能なＦＰの数がＮである。
【００１７】
上記目的を実現するために、本発明のもう一つの方面によると、端末を提供する。
【００１８】
本発明に係わる端末は、アップリンクチャネルを介して基地局にアップリンク送信電力スペクトル密度情報を送信する送信モジュールを含む。
【００１９】
上記目的を実現するために、本発明のもう一つの方面によると、基地局を提供している。
【００２０】
本発明に係わる基地局は端末からアップリンクチャネルを介して送信された端末と基地局との間のダウンリンク伝搬損失値を受信する受信モジュールを含む。
【発明の効果】
【００２１】
本発明によると、基地局又は端末が一つ又は複数のＵＬＴ×ＰＳＤ情報を一括で獲得する方法を採用して、従来技術における複数のＦＰを割り当てる場合に端末が逐次に基地局に各ＦＰのＵＬＴ×ＰＳＤ情報を送信するという課題を解決し、基地局がＦＰを割り当てるとき、端末から割り当てられたＦＰのＵＬＴ×ＰＳＤ情報を送信してもらわなくてもよくなり、シグナリング相互作用を軽減し、リソースを節約した。
【図面の簡単な説明】
【００２２】
ここで説明する図面は、本発明を更に理解するためのものであり、本願の一部を構成する。本発明の例示的な実施例およびその説明は、本発明を解釈するものであるが、本発明を不当に限定するものではない。図面において、
【図１】従来技術に係るＯＦＤＭシステムにおける周波数リソース割り当てを示す図である。
【図２】本発明の実施例に係る電力状態情報の処理方法を示す図である。
【図３】本発明の実施例に係る端末の構造ブロック図である。
【図４】本発明の実施例に係るもう一種類の電力状態情報の処理方法を示す図である。
【図５】本発明の実施例に係る基地局の構造ブロック図である。
【図６】（ａ）は、本発明の実施例に係る基地局の具体的な構造ブロック図であり、（ｂ）は、本発明の実施例に係る基地局のもう一種類の具体的な構造ブロック図である。
【発明を実施するための形態】
【００２３】
以下、図面を参照しつつ、実施例を結び付けて本発明を詳しく説明する。なお、衝突が生じない場合には、本願実施例及び本願実施例における特徴は、矛盾を生じない限り互いに組み合わすことができる。
本発明は電力状態情報の処理方法を提供し、ここで、処理は送信と受信の少なくともいずれか一つを含み、端末側において、当該処理は送信であり、基地局側において当該処理は受信である。
【００２４】
図２は本発明の実施例に係わる電力状態情報の処理方法を示す図である。当該方法は、端末（１）がアップリンクチャネルを介して基地局（３）にダウンリンク伝搬損失値Ｌが含まれるアップリンク送信電力スペクトル密度情報（ＵＬＴ×ＰＳＤ）（２）を送信するステップを含む。
【００２５】
好ましくは、アップリンク送信電力スペクトル密度情報ＵＬＴ×ＰＳＤ＝Ｌで、ここで、Ｌはダウンリンク伝搬損失値である。
【００２６】
当該実施例における全ての周波数分割領域ＦＰのＵＬＴ×ＰＳＤ情報はダウンリンク伝搬損失値であるので、ＵＬＴ×ＰＳＤを送信するとき、端末が一つの情報のみ送信すればよくなり、ＵＬＴ×ＰＳＤ情報伝搬にかかるリソースを節約した。
【００２７】
好ましくは、アップリンク送信電力スペクトル密度情報ＵＬＴ×ＰＳＤ＝Ｌ＋＜ＮＩ＞で、ここで、Ｌはダウンリンク伝搬損失値であり、＜ＮＩ＞は基地局の全ての利用可能なＦＰにおけるアップリンク干渉と雑音値ＮＩの平均値である。
【００２８】
当該実施例におけるＦＰのＵＬＴ×ＰＳＤ情報は全て同じであるので、ＵＬＴ×ＰＳＤ情報を送信するとき、端末が一つの値のみ送信すればよく、ＵＬＴ×ＰＳＤ情報伝搬にかかるリソースを節約できた。また、ＵＬＴ×ＰＳＤ情報において、全ての利用可能なＦＰのアップリンク干渉と雑音値の平均値を配慮したので、算出したＵＬＴ×ＰＳＤ情報がよりよく利用可能なＦＰに適応できるようになった。
【００２９】
好ましくは、端末が一つ又は複数のアップリンク送信電力スペクトル密度情報ＵＬＴ×ＰＳＤ（ｉ）＝Ｌ＋ＮＩ（ｉ）を生成し、ここで、Ｌはダウンリンク伝搬損失値で、ＮＩ（ｉ）はインデックス番号がｉであるＦＰが対応するアップリンク干渉と雑音値である。０≦ｉ≦（Ｎ‐１）で、且つｉが整数であり、全ての利用可能なＦＰの数がＮである。端末が一つのアップリンク送信電力スペクトル密度情報を生成する場合は、端末がアップリンクチャネルを介して基地局にアップリンク送信電力スペクトル密度情報を送信することは、端末がアップリンクチャネルを介して一つのアップリンク送信電力スペクトル密度情報を基地局に送信することを含み、端末が複数のアップリンク送信電力スペクトル密度を生成する場合、端末がアップリンクチャネルを介して基地局にアップリンク送信電力スペクトル密度情報を送信することは、端末がアップリンクチャネルを介して基地局に複数のアップリンク送信電力スペクトル密度情報の一部又は全部を送信することを含む。
【００３０】
当該実施例において、端末が一つ又は複数のＵＬＴ×ＰＳＤ情報の一部又は全部を基地局に送信することによって、複数のＦＰを割り当てる場合に逐次に各ＦＰのＵＬＴ×ＰＳＤ情報を送信するという従来技術における課題を解決し、基地局がＦＰを割り当てるとき、端末から割り当てられたＦＰのＵＬＴ×ＰＳＤ情報を再送信してもらわなくてもよくなった。
【００３１】
好ましくは、端末が一つのアップリンク送信電力スペクトル密度情報を生成する場合、一つのアップリンク送信電力スペクトル密度情報が対応するＦＰは、基地局にサポートされているＦＰの中の一番目のＦＰ、基地局にサポートされているＦＰにおける最後のＦＰ、基地局にサポートされているＦＰの中のインデックス番号が一番小さいＦＰ、基地局にサポートされているＦＰの中のインデックス番号が一番大きいＦＰ、基地局にサポートされているＦＰの中の特定インデックス番号のＦＰ、基地局がサポートしているアップリンクメイン周波数分割領域、基地局がサポートしているダウンリンクメイン周波数分割領域、アップリンク制御チャネル所在の周波数分割領域、の中のいずれか一つである。
【００３２】
当該実施例において、端末にて一つのアップリンク送信電力スペクトル密度情報を生成することを確定した場合、当該アップリンク送信電力スペクトル密度情報は、基地局にサポートされているＦＰの中の一番目のＦＰ、又は基地局にサポートされているＦＰの中の最後のＦＰ、又は基地局にサポートされているＦＰの中のインデックス番号が一番小さいＦＰ、又は基地局がサポートしているインデックス番号が一番大きいＦＰ、又は基地局がサポートしている特定のインデックス番号のＦＰ、又は基地局がサポートしているアップリンクメイン周波数分割領域、又は基地局がサポートしているダウンリンクメイン周波数分割領域、又はアップリンク制御チャネル所在の周波数分割領域に対応することにより、端末が一つのアップリンク送信電力スペクトル密度情報を生成する場合にＦＰ選択をする操作を省いた。
【００３３】
好ましくは、基地局にサポートされているＦＰは少なくとも、アップリンク周波数分割領域における干渉電力の雑音電力に対する上昇レベルの制御因子が、対応するＦＰが利用不可を意味するＩＮＦ１ではないＦＰ集合と、雑音と干渉値のレベルが、対応するＦＰが利用不可を意味するＩＮＦ２ではないＦＰ集合、のいずれか一つを含む。
【００３４】
当該実施例は、実用性を高めるためにさらに基地局がサポートするＦＰの範囲を限定している。
【００３５】
好ましくは、端末が一つのアップリンク送信電力スペクトル密度情報を生成する場合、基地局のセクターインデックス情報によって一つのアップリンク送信電力スペクトル密度情報が対応するＦＰを確定する。
当該実施例は、端末が一つのアップリンク送信電力スペクトル密度情報を生成する場合、基地局のセクターインデックス情報によって一つのアップリンク送信電力スペクトル密度情報が対応するＦＰを確定することにより、ＦＰを選択するときの弾力性を高めた。
【００３６】
好ましくは、前記基地局のセクターインデックス情報によって前記一つのアップリンク送信電力スペクトル密度情報の対応するＦＰを確定することは、前記一つのアップリンク送信電力スペクトル密度情報が対応するＦＰのインデックス番号ｉ＝ＳｅｇｍｅｎｔＩＤ＋１で、ここで、ＳｅｇｍｅｎｔＩＤが前記基地局のセクターインデックス情報である、場合を含む。
【００３７】
当該実施例は、端末が一つのアップリンク送信電力スペクトル密度情報を生成する場合、ｉ＝ＳｅｇｍｅｎｔＩＤ＋１によってアップリンク送信電力スペクトル密度情報が対応するＦＰを確定することにより、ＦＰを選択する時の弾力性を高めたとともに、いずれのＦＰでも選ばれる機会が与えられるようになり、本実施例の実用性を高めた。
【００３８】
上記ダウンリンク伝搬損失値は少なくとも、端末と基地局との間のダウンリンク伝搬損失値、端末の送信アンテナ利得、のいずれか一つを含むことが好ましい。
【００３９】
当該実施例はパラメータの様々な組み合わせを採用することにより、ダウンリンク伝搬損失値の選択により弾力性を持たせるようになった。
【００４０】
端末が上記アップリンク送信電力スペクトル密度情報に対して量子化をする場合、該量子化は少なくとも、一様量子化と非一様量子化のいずれか一つを含むことが好ましい。
【００４１】
当該実施例は、ＵＬＴ×ＰＳＤ情報に対して量子化をすることにより、送信にかかるリソースが節約できた。
【００４２】
端末にＦＰリソースを割り当てる度に、基地局がアップリンク送信電力スペクトル密度情報によって端末が割り当て待ちのＦＰにおけるアップリンク送信電力を計算することが好ましい。
【００４３】
当該実施例において、基地局が端末から送信された全てのＦＰにおけるＵＬＴ×ＰＳＤ情報によって、割り当て待ちのＦＰにおけるアップリンク送信電力を計算することで、端末が割り当て待ちのＦＰにおけるＵＬＴ×ＰＳＤ情報を送信する必要がなくなり、シグナリングの相互作用を軽減した。
【００４４】
アップリンクチャネルは少なくとも、アップリンク電力ステータス報告情報（ＡＡＩ＿Ｕｐｌｉｎｋ  Ｐｏｗｅｒ  Ｓｔａｔｕｓ  Ｒｅｐｏｒｔ  ＡＡＩ＿ＵＬ−ＰＳＲと略称）、ダウンリンクフィードバック情報、アップリンクデータチャネル情報、のいずれか一つを含むことが好ましい。
【００４５】
図３は本発明の実施例に係わる端末構造のブロック図であり、当該端末は、アップリンクチャネルを介して基地局に、少なくともダウンリンク伝搬損失値が含まれるアップリンク送信電力スペクトル密度情報を送信する送信モジュール３２を含む。
【００４６】
好ましくは、当該アップリンク送信電力スペクトル密度情報ＵＬＴ×ＰＳＤ＝Ｌで、ここで、Ｌはダウンリンク伝搬損失値である。
【００４７】
当該実施例におけるすべてのＦＰのＵＬＴ×ＰＳＤ情報はダウンリンク伝搬損失値であるので、ＵＬＴ×ＰＳＤ情報を送信する場合、端末が一つの値のみ送信すればよく、ＵＬＴ×ＰＳＤ情報伝搬にかかるリソースを節約した。
【００４８】
好ましくは、当該アップリンク送信電力スペクトル密度情報ＵＬＴ×ＰＳＤ＝Ｌ＋＜ＮＩ＞で、ここで、Ｌはダウンリンク伝搬損失値で、＜ＮＩ＞は基地局の全ての利用可能なＦＰにおけるアップリンク干渉と雑音値の平均値である。
【００４９】
当該実施例におけるすべてのＦＰのＵＬＴ×ＰＳＤ情報は同じであるので、ＵＬＴ×ＰＳＤ情報を送信する場合、端末が一つの値のみ送信すればよく、ＵＬＴ×ＰＳＤ情報伝搬にかかるリソースを節約した。また、ＵＬＴ×ＰＳＤ情報を生成する過程において、全ての利用可能なＦＰにおけるアップリンク干渉と雑音値の平均値を配慮したので、算出されたＵＬＴ×ＰＳＤ情報がよりよく利用可能なＦＰに適応できるようになった。
【００５０】
好ましくは、当該送信電力スペクトル密度情報は一つ又は複数のアップリンク送信電力スペクトル密度情報ＵＬＴ×ＰＳＤ（ｉ）＝Ｌ＋ＮＩ（ｉ）であり、Ｌはダウンリンク伝搬損失値で、ＮＩ（ｉ）はインデックス番号がｉであるＦＰが対応するアップリンク干渉と雑音値であり、０≦ｉ≦（Ｎ‐１）で、且つｉが整数で、すべての利用可能なＦＰの数がＮである。送信モジュール３２はアップリンクチャネルを介して基地局に一つ又は複数のアップリンク送信電力スペクトル密度情報の一部又は全部を送信することに用いる。
【００５１】
当該実施例は、端末が一つ又は複数のアップリンク送信電力スペクトル密度情報の一部又は全部を基地局に送信することにより、従来技術において複数のＦＰを割り当てる場合、逐次に各ＦＰのＵＬＴ×ＰＳＤ情報を送信するという課題を解決し、基地局がＦＰを割り当てるとき端末から割り当てられたＦＰのＵＬＴ×ＰＳＤ情報を送信してもらわなくてもよくなった。
【００５２】
図４は本発明の実施例に係わるもう一種類の電力状態情報の処理方法を示す図である。当該方法は、基地局が端末からアップリンクチャネルを介して送信された端末と基地局との間のダウンリンク伝搬損失値を受信することを含む。
好ましくは、基地局がダウンリンク伝搬損失値を受信してから、アップリンク送信電力スペクトル密度情報ＵＬＴ×ＰＳＤ＝Ｌ＋＜ＮＩ＞を生成し、ここで、Ｌはダウンリンク伝搬損失値で、＜ＮＩ＞は基地局のすべての利用可能なＦＰにおけるアップリンク干渉と雑音値の平均値である。生成は計算（ｃａｌｃｕｌａｔｅ）又は推定（ｅｓｔｉｍａｔｅ）を含む。
【００５３】
当該実施例において、ＵＬＴ×ＰＳＤ情報を生成する過程において、すべての利用可能なＦＰにおけるアップリンク干渉と雑音値の平均値を配慮したので、算出されたＵＬＴ×ＰＳＤ情報がよりよくすべての利用可能なＦＰに適応できるようになった。
【００５４】
好ましくは、基地局がダウンリンク伝搬損失値を受信してから、一つ又は複数のアップリンク送信電力スペクトル密度情報ＵＬＴ×ＰＳＤ（ｉ）＝Ｌ＋ＮＩ（ｉ）を生成し、ここで、Ｌはダウンリンク伝搬損失値で、ＮＩ（ｉ）はインデックス番号がｉであるＦＰが対応するアップリンク干渉と雑音の平均値で、０≦ｉ≦（Ｎ‐１）で、且つｉが整数であり、全ての利用可能なＦＰの数がＮである。
【００５５】
当該実施例は、基地局が一つ又は複数のアップリンク送信電力スペクトル密度情報を一括で生成することにより、従来技術における複数のＦＰを割り当てる場合、逐次に各ＦＰのＵＬＴ×ＰＳＤ情報を送信するという課題を解決し、基地局がＦＰを割り当てるとき、端末から割り当てられたＦＰのＵＬＴ×ＰＳＤ情報を送信してもらわなくてもよくなった。
【００５６】
ダウンリンク伝搬損失値は少なくとも、端末と基地局との間のダウンリンク伝搬損失値、端末の送信アンテナ利得、のいずれか一つを含むことが好ましい。
【００５７】
当該実施例は、パラメータの様々な組み合わせを採用することにより、ダウンリンク伝搬損失値の選択により弾力性を持たせるようになった。
【００５８】
好ましくは、ダウンリンク伝搬損失値の範囲は［５２．５ｄＢ、１８０ｄＢ］である。
【００５９】
好ましくは、端末がダウンリンク伝搬損失値情報に対して量子化する。
【００６０】
好ましくは、端末がダウンリンク伝搬損失値情報に対して一様量子化して、当該一様量子化が採用する量子化レベルは、８ビットで２５６段階量子化、７ビットで１２８段階量子化、及び６ビットで６４段階量子化、のいずれか一つを含む。
【００６１】
端末にＦＰリソースを割り当てる度に、基地局がアップリンク送信電力スペクトル密度情報により、端末が割り当て待ちのＦＰにおけるアップリンク送信電力を計算する。
【００６２】
当該実施例において、基地局が端末から送信された全てのＦＰにおけるＵＬＴ×ＰＳＤ情報により割り当て待ちのＦＰにおけるアップリンク送信電力を計算することで、端末から割り当て待ちのＦＰにおけるＵＬＴ×ＰＳＤ情報を送信してもらわなくてもよくなり、シグナリングの相互作用を軽減した。
【００６３】
図５は本発明の実施例に係わる基地局の構造ブロック図である。当該基地局は、端末からアップリンクチャネルを介して送信した端末と基地局との間のダウンリンク伝搬損失値を受信する受信モジュール５２を含む。
【００６４】
図６（ａ）は本発明の実施例に係わる基地局のもう一種類の具体的な構造ブロック図であり、当該基地局は、第一計算モジュール６０２が受信モジュール５２に結合し、アップリンク送信電力スペクトル密度情報ＵＬＴ×ＰＳＤ＝Ｌ＋＜ＮＩ＞を生成することを含む。ここで、Ｌはダウンリンク伝搬損失値、＜ＮＩ＞は基地局の全ての利用可能なＦＰにおけるアップリンク干渉と雑音値の平均値である。
【００６５】
当該実施例は、ＵＬＴ×ＰＳＤ情報を生成する過程において、すべての利用可能なＦＰにおけるアップリンク干渉と雑音値の平均値を配慮したので、算出されたＵＬＴ×ＰＳＤ情報がより良く利用可能なＦＰに適応できるようになった。
【００６６】
図６（ｂ）は本発明の実施例に係わる基地局の具体的な構造ブロック図であり、当該基地局は、第二計算モジュール６０４が受信モジュール５２に結合して、一つまたは複数のアップリンク送信電力スペクトル密度情報ＵＬＴ×ＰＳＤ（ｉ）＝Ｌ＋ＮＩ（ｉ）を生成することを含む。ここで、Ｌはダウンリンク伝搬損失値で、ＮＩ（ｉ）はインデックスがｉであるＦＰが対応するアップリンク干渉と雑音値であり、０≦ｉ≦（Ｎ‐１）で、且つｉが整数で、全ての利用可能なＦＰの数がＮである。
【００６７】
当該実施例は、基地局が一つ又は複数の情報を一括で計算することにより、従来技術における複数のＦＰを割り当てる場合、端末が逐次に基地局に各ＦＰのＵＬＴ×ＰＳＤ情報を送信するという課題を解決し、基地局がＦＰを割り当てるとき、端末から割り当てられたＦＰのＵＬＴ×ＰＳＤ情報を送信してもらわなくてもよくなった。
【００６８】
以下、図面と具体的な実施例を結合して、上記実施例の実施形態を詳しく説明する。
［好適の実施例１］
【００６９】
本実施例は図１に示すような周波数分割領域を備える基地局（Ｂａｓｅ  Ｓｔａｔｉｏｎ、ＢＳと略称）をＢＳ１として、端末（Ｍｏｖｅ  Ｓｔａｔｉｏｎ、ＭＳと略称）１のサービス基地局がＢＳ１である。以下本発明に係わる電力状態情報の処理方法について詳しく説明する。当該方法は以下の通りである。
【００７０】
（１）ＭＳ１はダウンリンクチャネルを介して測定評価し、ダウンリンク伝搬損失値Ｌを算出する。ここで、ＬはＢＳ１とＭＳ１との間のダウンリンク経路損失値とＭＳ１の送信アンテナ利得の組み合わせ、又はダウンリンク経路損失値とＭＳ１の送信アンテナ利得のいずれか一項であることが可能である。
【００７１】
（２）ＭＳ１は、ＢＳ１のすべての利用可能な周波数リソースにおけるアップリンク干渉と雑音値の平均値＜ＮＩ＞を取得する。アップリンク干渉と雑音値の平均値＜ＮＩ＞は、ＭＳ１がＢＳ１により送信されたダウンリンクシグナリングから取得するものである。
【００７２】
（３）ＭＳ１は以下の公式により、アップリンク送信電力スペクトル密度を計算する。
ＵＬＴ×ＰＳＤ＝Ｌ＋＜ＮＩ＞
【００７３】
（４）ＭＳ１は上記算出されたＵＬＴ×ＰＳＤ情報を、アップリンクチャネルを介してＢＳ１に送信する。
【００７４】
（５）ＢＳ１はＭＳ１から送信されたＵＬＴ×ＰＳＤ情報を受信し、ＵＬＴ×ＰＳＤ情報及びＭＳ１に関する他の情報により、ＭＳ１に適切なアップリンクリソース及びアップリンク送信電力割当て情報を割り当てる。
【００７５】
当該実施例における全てのＦＰのＵＬＴ×ＰＳＤ情報は同じであるので、ＵＬＴ×ＰＳＤ情報を送信するとき、端末ＭＳ１が一つの値のみ送信すればよく、ＵＬＴ×ＰＳＤ情報伝搬にかかるリソースを節約した。また、ＵＬＴ×ＰＳＤ情報において、全ての利用可能なＦＰにおけるアップリンク干渉と雑音値の平均値を配慮したので、算出されたＵＬＴ×ＰＳＤ情報がより良く利用可能なＦＰに適応できるようになった。
［好適の実施例２］
【００７６】
本実施例においても、図１に示すような周波数分割領域を備えるＢＳをＢＳ１として、ＭＳ１のサービス基地局がＢＳ１である。以下本発明における電力状態情報の処理方法について詳しく説明する。当該方法は、以下のステップが含まれる。
【００７７】
（１）ＭＳ１がダウンリンクチャネルを介して測定評価して、ダウンリンク伝搬損失値Ｌを算出する。ここで、ＬはＢＳ１とＭＳ１との間のダウンリンク経路損失値とＭＳ１の送信アンテナ利得の組み合わせ、又はダウンリンク経路損失値とＭＳ１の送信アンテナ利得のいずれか一項であることが可能である。
【００７８】
（２）ＭＳ１は、ＢＳ１の全ての利用可能な周波数リソースにおけるアップリンク干渉と雑音値の平均値＜ＮＩ＞を取得する。アップリンク干渉と雑音値の平均値＜ＮＩ＞は、ＭＳ１がＦＰＯ、ＦＰ１、ＦＰ２、ＰＦ３の中の一つ又は複数のＦＰのアップリンク干渉と雑音値から推定して得ることが可能である。
【００７９】
本実施例において、＜ＮＩ＞はＦＰ０、ＦＰ１、ＦＰ２、ＦＰ３という四つのＦＰのアップリンク干渉と雑音値から推算して得られたものとする場合、下記の公式によって推算できる。
＜ＮＩ＞＝１／４＊（ＮＩ０＋ＮＩ１＋ＮＩ２＋ＮＩ３）
【００８０】
ここで、ＮＩ０、ＮＩ１、ＮＩ２、ＮＩ３はＭＳ１がＢＳ１から送信されたダウンリンクシグナリングから取得した各利用可能なＦＰのアップリンク干渉と雑音値である。
【００８１】
（３）ＭＳ１は下記の公式によりアップリンク送信電力スペクトル密度を計算する。
ＵＬＴ×ＰＳＤ＝Ｌ＋＜ＮＩ＞、ここで、ＵＬＴ×ＰＳＤはアップリンク送信電力スペクトル密度で、Ｌは端末と基地局との間のダウンリンク伝搬損失値、＜ＮＩ＞は基地局の全ての利用可能なＦＰのアップリンク干渉と雑音値の平均値である。
【００８２】
（４）ＭＳ１は当該ＵＬＴ×ＰＳＤ情報を、アップリンクチャネルを介してＢＳ１に送信する。
【００８３】
（５）ＢＳ１はＭＳ１からのＵＬＴ×ＰＳＤ情報を受信し、ＵＬＴ×ＰＳＤ情報及びＭＳ１に関する他の情報によりＭＳ１に適切なアップリンクリソース及びアップリンク送信電力配置情報を割り当る。
【００８４】
当該実施例におけるすべてのＦＰのＵＬＴ×ＰＳＤ情報が同じであるので、ＵＬＴ×ＰＳＤ情報を送信する場合、端末ＭＳ１が一つの値のみを送信すればよく、ＵＬＴ×ＰＳＤ情報の伝搬にかかるリソースを節約した。また、ＵＬＴ×ＰＳＤ情報において、全ての利用可能なアップリンク干渉と雑音値の平均値を配慮したので、算出されたＵＬＴ×ＰＳＤ情報がより良く利用可能なＦＰに適応できるようになった。
［好適の実施例３］
【００８５】
本実施例においても、図１に示すような周波数分割領域を備えるＢＳをＢＳ１として、ＭＳ１のサービス基地局がＢＳ１である。以下、本発明に係わる電力状態情報の処理について詳しく説明する。当該方法は以下のステップを含む。
【００８６】
（１）ＭＳ１はダウンリンクチャネルを介して測定評価して、ダウンリンク伝搬損失値Ｌを算出する。ここで、ＬはＢＳ１とＭＳ１との間のダウンリンク経路損失値とＭＳ１の送信アンテナ利得との組み合わせ、又はダウンリンク経路損失値とＭＳ１の送信アンテナ利得のいずれか一項であることが可能である。
【００８７】
（２）ＭＳ１は、ＢＳ１のＦＰ（ｉ）におけるアップリンク干渉と雑音値ＮＩ（ｉ）を取得する。ここで、前記ＮＩ（ｉ）はＦＰ（ｉ）のアップリンク干渉と雑音値で、ｉはＦＰのインデックス番号である。本実施例において、ＦＰが多くとも四つであり、インデックス番号ｉは０≦ｉ≦３である整数で、ＮＩ（ｉ）は、ＭＳ１がＢＳ１により送信されたダウンリンクシグナリングから得たものである。
【００８８】
ここで、ＦＰ（ｉ）はＢＳ１のサポートしている特定のＦＰ、例えば、ＢＳ１のサポートしているＦＰの中の一番目のＦＰ、又はＢＳ１のサポートしているＦＰの中の最後のＦＰ、又はインデックス番号が一番小さいＦＰ、又はインデックス番号が一番大きいＦＰ、又は基地局のサポートしているＦＰにおける特定インデックス番号のＦＰ、又は基地局のサポートしているメイン周波数分割領域（例えば、ダウンリンク周波数分割領域、アップリンクメイン周波数分割領域）、アップリンク制御チャネル所在の周波数分割領域、であることが可能である。
【００８９】
ここで、該メイン周波数分割領域は基地局に確定され、又はデフォルト設定によって確定される。
【００９０】
（３）ＭＳ１は下記の公式によって、一つ又は複数のＦＰのアップリンク送信電力スペクトル密度を計算する。
ＵＬＴ×ＰＳＤ（ｉ）＝Ｌ＋ＮＩ（ｉ）
【００９１】
（４）ＭＳ１は上記算出された一つ又は複数のＦＰが対応するＵＬＴ×ＰＳＤ（ｉ）情報の一部又は全部を、アップリンクチャネルを介してＢＳ１に送信する。
【００９２】
（５）ＢＳ１はＭＳ１からのＵＬＴ×ＰＳＤ（ｉ）情報を受信し、前記ＵＬＴ×ＰＳＤ（ｉ）情報及びＭＳ１に関する他の情報により、ＭＳ１に適切なアップリンクリソース及びアップリンク送信電力配置情報を割り当てる。
【００９３】
当該実施例において、端末が一つまたは複数のアップリンク送信電力スペクトル密度情報の一部又は全部を一括で基地局に送信することで、従来技術における複数のＦＰを割り当てる場合、逐次に各ＦＰのＵＬＴ×ＰＳＤ情報を送信するという課題を解決し、基地局がＰＦを割り当てるとき、端末から割り当てられたＦＰのＵＬＴ×ＰＳＤ情報を送信してもらわなくてもよくなった。
［好適の実施例４］
【００９４】
本実施例においても、図１に示すような周波数分割領域を備えるＢＳをＢＳ１として、ＭＳ１のサービス基地局がＢＳ１である。以下、本発明に係わる電力状態情報の処理方法について詳しく説明する。当該方法は以下のステップが含まれる。
【００９５】
（１）ＭＳ１はダウンリンクチャネルを介して測定評価して、ダウンリンク伝搬損失値Ｌを算出する。ここで、ＬはＢＳ１とＭＳ１との間のダウンリンク経路損失値とＭＳ１の送信アンテナ利得との組み合わせ、又はダウンリンク経路損失値とＭＳ１の送信アンテナ利得のいずれか一項であることが可能である。
【００９６】
（２）ＭＳ１は下記の公式によってアップリンク送信電力スペクトル密度を計算する。
ＵＬＴ×ＰＳＤ＝Ｌ
ここで、Ｌは端末と基地局との間のダウンリンク伝搬損失値である。
【００９７】
（３）ＭＳ１は算出されたＵＬＴ×ＰＳＤ情報を、アップリンクチャネルを介してＢＳ１に送信する。
ここで、当該ＵＬＴ×ＰＳＤ情報はアップリンク電力ステータス報告情報、又はその他のダウンリンクフィードバックチャネル情報、若しくはアップリンクデータチャネル情報を介してＢＳ１に送信されることが可能である。
【００９８】
（４）ＢＳ１がＭＳ１からのＵＬＴ×ＰＳＤ情報を受信し、ＵＬＴ×ＰＳＤ情報及びＭＳ１に関する他の情報によりＭＳ１に適切なアップリンクリソース及びアップリンク送信電力配置情報を割り当てる。
【００９９】
当該実施例における全てのＦＰのＵＬＴ×ＰＳＤ情報はダウンリンク伝搬損失値であるので、ＵＬＴ×ＰＳＤ情報を送信するとき、端末が一つの値のみ送信すればよく、ＵＬＴ×ＰＳＤ情報の伝搬にかかるリソースを節約した。
［好適の実施例５］
【０１００】
本実施例においても、図１に示すような周波数分割領域を備えるＢＳをＢＳ１として、ＭＳ１のサービス基地局がＢＳ１である。以下、本発明に係わる電力状態情報の処理方法について詳しく説明する。当該方法には以下のステップが含まれる。
【０１０１】
（１）ＭＳ１はダウンリンクチャネルを介して測定評価し、ダウンリンク伝搬損失値Ｌを算出する。ここで、ＬはＢＳ１とＭＳ１との間のダウンリンク経路損失値とＭＳ１の送信アンテナ利得の組み合わせ、又はダウンリンク経路損失値とＭＳ１送信アンテナ利得のいずれか一項であることが可能である。
【０１０２】
（２）ＭＳ１はダウンリンク伝搬損失値Ｌを、アップリンクチャネルを介してＢＳ１に送信する。
ここで、ダウンリンク伝搬損失値Ｌはアップリンク電力状態報告情報、又はその他のダウンリンクフィードバックチャネル情報、若しくはアップリンクデータチャネル情報を介してＢＳ１に送信できる。
【０１０３】
（３）ＢＳ１はＭＳ１からのダウンリンク伝搬損失値Ｌを受信する。
【０１０４】
（４）ＢＳ１は基地局にて保存されているすべての利用可能な周波数リソースにおけるＮＩの値から、以下の公式によりアップリンク送信電力スペクトル密度が得られる。
ＵＬＴ×ＰＳＤ＝Ｌ＋＜ＮＩ＞、ここで、ＵＬＴ×ＰＳＤはアップリンク送信電力スペクトル密度で、Ｌは端末と基地局とのダウンリンク伝搬損失値で、＜ＮＩ＞は基地局のすべての利用可能なＦＰにおけるアップリンク干渉と雑音値の平均値である。
【０１０５】
次いで、ＢＳ１はＵＬＴ×ＰＳＤ情報及びＭＳ１に関する他の情報によりＭＳ１に適切なアップリンクリソースとアップリンク送信電力配置情報を割り当てる。
【０１０６】
当該実施例は、ＵＬＴ×ＰＳＤ情報を生成する過程において、全ての利用可能なＦＰにおけるアップリンク干渉と雑音値の平均値を配慮したので、算出されたＵＬＴ×ＰＳＤ情報がより良く全ての利用可能なＦＰ情報に適応できるようになった。
［好適の実施例６］
【０１０７】
本実施例においても、図１に示すような周波数分割領域を備えるＢＳをＢＳ１として、ＭＳ１のサービス基地局がＢＳ１である。以下、本発明に係わる電力状態情報の処理方法について詳しく説明する。当該方法は以下のステップが含まれる。
【０１０８】
（１）ＭＳ１はダウンリンクチャネルを介して測定評価して、ダウンリンク伝搬損失値Ｌを算出する。ここで、ＬはＢＳ１とＭＳ１との間のダウンリンク経路損失値とＭＳ１の送信アンテナ利得の組み合わせ、又はダウンリンク経路損失値とＭＳ１の送信アンテナ利得のいずれか一項であることが可能である。
【０１０９】
（２）ＭＳ１はダウンリンク伝搬損失値Ｌをアップリンクチャネルを介してＢＳ１に送信する。
ここで、ダウンリンク伝搬損失値Ｌは、アップリンク電力状態報告情報、又はその他のダウンリンクフィードバックチャネル情報、若しくはアップリンクデータチャネル情報を介してＢＳ１に送信できる。
【０１１０】
（３）ＢＳ１はＭＳ１からのダウンリンク伝搬損失値Ｌを受信する。
【０１１１】
（４）ＢＳ１は基地局にて保存されている各利用可能なＦＰ（ｉ）のアップリンク干渉と雑音値ＮＩ（ｉ）により、下記の公式を通して一つ又は複数のＦＰ（ｉ）のアップリンク送信電力スペクトル密度が得られる。
ＵＬＴ×ＰＳＤ（ｉ）＝Ｌ＋ＮＩ（ｉ）
ここで、ｉはＦＰのインデックス番号である。
【０１１２】
（５）ＢＳ１はＵＬＴ×ＰＳＤ（ｉ）情報およびＭＳ１に関する他の情報によりＭＳ１に適切なアップリンクリソース及びアップリンク送信電力配置情報を割り当てる。
【０１１３】
当該実施例は、基地局が一つ又は複数のアップリンク送信電力スペクトル密度情報を一括で計算することにより、従来技術における複数のＦＰを割り当てる場合、逐次に各ＦＰのＵＬＴ×ＰＳＤ情報を送信するという課題を解決して、基地局がＦＰを割り当てるとき、端末から割り当てられたＦＰのＵＬＴ×ＰＳＤ情報を送信してもらわなくてもよくなった。
［好適の実施例７］
【０１１４】
本実施例においても図１に示すような周波数分割領域を備えるＢＳをＢＳ１として、ＭＳ１のサービス基地局がＢＳ１である。以下、本発明に係わる生成されたアップリンク送信電力スペクトル密度の送信及び受信方法について詳しく説明する。当該方法は以下のステップが含まれる。
【０１１５】
（１）ＭＳ１はダウンリンクチャネルを介して測定評価して、ダウンリンク伝搬損失値Ｌを算出する。ここで、ＬはＢＳ１とＭＳ１との間のダウンリンクチャネル経路損失とＭＳ１の送信アンテナ利得との組み合わせ、またはダウンリンク経路損失とＭＳ１の送信アンテナ利得のいずれか一項であることが可能である。
【０１１６】
（２）ＭＳ１は以下の公式によってアップリンク送信電力スペクトル密度を計算する。
ＵＬＴ×ＰＳＤ＝Ｌ
【０１１７】
（３）本実施例は、ＵＬＴ×ＰＳＤに対してＮ（Ｎは６、７、８であることが可能）ビットで一様量子化する方法を採用することとする。例えば、ＵＬＴ×ＰＳＤの値の範囲は［５２．５ｄＢ、１８０ｄＢ］且つＮ＝８、即ち、８ｂｉｔで量子化して、量子化の間隔が０．５ｄＢである。本実施例において、ＵＬＴ×ＰＳＤ＝１８０ｄＢの場合、ＵＬＴ×ＰＳＤが量子化された結果は「１１１１１１１１」である。
【０１１８】
（４）ＭＳ１は量子化された後のＵＬＴ×ＰＳＤ情報を、アップリンクチャネルを介してＢＳ１に送信する。
ここで、量子化された後のＵＬＴ×ＰＳＤ情報はアップリンク電力状態報告情報、又は他のダウンリンクフィードバックチャネル情報、若しくはアップリンクデータチャネル情報を介してＢＳ１に送信できる。
【０１１９】
（５）ＢＳ１はＭＳ１からのＵＬＴ×ＰＳＤ情報「１１１１１１１１」を受信してから、元のデータ「１８０ｄＢ」に復元し、且つＵＬＴ×ＰＳＤ情報及びＭＳ１に関する他の情報によってＭＳに適切なアップリンクリソース及びアップリンク送信電力配置情報を割り当てる。
【０１２０】
当該実施例における全てのＦＰのＵＬＴ×ＰＳＤ情報はダウンリンク伝搬損失値であるので、ＵＬＴ×ＰＳＤ情報を送信する場合、端末が一つの値のみ送信すればよく、ＵＬＴ×ＰＳＤ情報の伝搬にかかるリソースを節約した。
［好適の実施例８］
【０１２１】
本実施例においても、図１に示すような周波数分割領域を備えるＢＳをＢＳ１として、ＭＳ１のサービス基地局がＢＳ１である。以下、本発明に係わる電力状態情報の処理方法について詳しく説明する。当該方法は以下のステップが含まれる。
【０１２２】
（１）ＭＳ１はダウンリンクチャネルを介して測定評価して、ダウンリンク伝搬損失値Ｌを算出する。ここで、ＬはＢＳ１とＭＳ１との間のダウンリンク経路損失とＭＳ１の送信アンテナ利得の組み合わせ、若しくはダウンリンク経路損失とＭＳ１の送信アンテナ利得のいずれか一項であることが可能である。
【０１２３】
（２）本実施例では、Ｌに対してＮ（Ｎは６、７、８であることが可能）ビットで一様量子化する。例えば、Ｌの値の範囲は［５２．５ｄＢ、１８０ｄＢ］且つＮ＝８である場合、即ち８ｂｉｔで量子化して、量子化の間隔が０．５ｄＢである。本実施例において、Ｌ＝１８０ｄＢとして、量子化されたＬは最大「１１１１１１１１」である。
【０１２４】
（３）ＭＳ１は量子化された伝搬損失値Ｌを、アップリンクチャネルを介してＢＳ１に送信する。
ここで、量子化された伝搬損失Ｌは、アップリンク電力ステータス報告情報、又はその他のダウンリンクフィードバックチャネル情報、若しくはアップリンクデータチャネル情報を介してＢＳ１に送信できる。
【０１２５】
（４）ＢＳ１はＭＳ１からの伝搬損失値Ｌを受信し、それを復元する。
【０１２６】
（５）ＢＳ１は基地局にて保存されている全ての利用可能な周波数リソースにおけるＮＩ値から、下記の公式によりアップリンク送信電力スペクトル密度が得られる。
【０１２７】
ＵＬＴ×ＰＳＤ＝Ｌ＋＜ＮＩ＞、
ここで、ＵＬＴ×ＰＳＤはアップリンク送信電力スペクトル密度で、Ｌは端末と基地局との間のダウンリンク伝搬損失値、＜ＮＩ＞は基地局の全ての利用可能なＦＰにおけるアップリンク干渉と雑音値の平均値である。
【０１２８】
当該実施例は、ＵＬＴ×ＰＳＤ情報を生成する過程において、すべての利用可能なＦＰにおけるアップリンク干渉と雑音値の平均値を配慮したので、算出されたＵＬＴ×ＰＳＤ情報がより良く全ての利用可能なＦＰに適応できるようになった。
［好適の実施例９］
【０１２９】
本実施例においても、図１に示すような周波数分割領域を備えるＢＳをＢＳ１として、ＭＳ１のサービス基地局がＢＳ１である。以下、本発明に係わる電力状態情報の処理方法について、詳しく説明する。当該方法は以下のステップが含まれる。
【０１３０】
（１）ＭＳ１はダウンリンクチャネルを介して測定評価して、ダウンリンク伝搬損失値Ｌを算出する。ここで、ＬはＢＳ１とＭＳ１との間のダウンリンク経路損失値とＭＳ１の送信アンテナ利得の組み合わせ、又はダウンリンク経路損失値とＭＳ１の送信アンテナ利得のいずれか一項であることが可能である。
【０１３１】
（２）本実施例においては、Ｌに対してＮ（Ｎは６、７、８であることが可能）ビットで一様量子化する。例えば、Ｌの値の選択範囲は［５２．５ｄＢ、１８０ｄＢ］で、且つＮ＝８として、量子化されたＬは最大「１１１１１１１１」になる。
【０１３２】
（３）ＭＳ１は量子化された伝搬損失値Ｌをアップリンクチャネルを介してＢＳ１に送信する。
ここで、量子化された伝搬損失値Ｌは、アップリンク電力状態報告情報、又はその他のダウンリンクフィードバックチャネル情報、若しくはアップリンクデータチャネル情報を介してＢＳ１に送信できる。
【０１３３】
（４）ＢＳ１はＭＳ１からのダウンリンク伝搬損失値Ｌを受信し、復元する。
【０１３４】
（５）ＢＳ１は、基地局にて保存されているＦＰ（ｉ）のアップリンク干渉と雑音値ＮＩ（ｉ）により、下記の公式を通して一つ又は複数のＦＰ（ｉ）のアップリンク送信電力スペクトル密度ＵＬＴ×ＰＳＤ（ｉ）を得る。
ＵＬＴ×ＰＳＤ（ｉ）＝Ｌ＋ＮＩ（ｉ）
【０１３５】
（６）ＢＳ１は当該ＵＬＴ×ＰＳＤ（ｉ）情報、及びＭＳ１に関する他の情報により、ＭＳに適切なアップリンクリソース及びアップリンク送信電力配置情報を割り当てる。
【０１３６】
当該実施例は、基地局が一つ又は複数のアップリンク送信電力スペクトル密度情報を一括で計算することにより、従来技術における複数のＦＰを割り当てる場合、逐次に各ＦＰのＵＬＴ×ＰＳＤ情報を送信するという課題を解決し、基地局がＦＰを割り当てるとき、端末から割り当てられたＦＰのＵＬＴ×ＰＳＤ情報を送信してもらわなくてもよくなった。
［好適の実施例１０］
【０１３７】
本実施例においても、図１に示すような周波数分割領域を備えるＢＳをＢＳ１をして、ＭＳ１のサービス基地局がＢＳ１である。以下、本発明に係わる電力状態情報の処理方法について詳しく説明する。当該方法は以下のステップが含まれる。
【０１３８】
（１）ＭＳ１はダウンリンクチャネルを介して測定評価し、ダウンリンク伝搬損失値Ｌを算出する。ここで、ＬはＢＳ１とＭＳ１との間のダウンリンク経路損失値とＭＳ１の送信アンテナ利得との組み合わせ、又はダウンリンク経路損失値とＭＳ１の送信アンテナ利得のいずれか一項であることが可能である。
【０１３９】
（２）ＭＳ１はＢＳ１がＦＰ（ｉ）におけるアップリンク干渉と雑音値ＮＩ（ｉ）を得る。ここで、前記ＮＩ（ｉ）はＦＰ（ｉ）のアップリンク干渉と雑音値で、ｉはＦＰのインデックス番号である。本実施例において、利用可能な周波数リソースを多くとも四つのＦＰを分けることとして、０≦ｉ≦３で、且つｉが整数であり、ＮＩ（ｉ）はＭＳ１がＢＳ１に送信したダウンリンクシグナリングから得られたものである。
ここで、ＦＰ（ｉ）の選択は、ＢＳ１のセクターインデックス情報（ＳｅｇｍｅｎｔＩＤ）に関するものであることが可能である。
例えば：ｉ＝ＳｅｇｍｅｎｔＩＤ＋１
本実施例において、ＢＳ１のＳｅｇｍｅｎｔＩＤが０である場合に、ＭＳ１はｉ＝１と算出する。
【０１４０】
（３）ＭＳ１は下記の公式によってＦＰ（１）のアップリンク送信電力スペクトル密度を計算する。
ＵＬＴ×ＰＳＤ（ｉ）＝Ｌ＋ＮＩ（ｉ）
【０１４１】
（４）ＭＳ１は上記算出されたＦＰ（ｉ）が対応するＵＬＴ×ＰＳＤ（１）情報を、アップリンクチャネルを介してＢＳ１に送信する。
【０１４２】
（５）ＢＳ１はＭＳ１からのＵＬＴ×ＰＳＤ（１）情報を受信し、前記ＵＬＴ×ＰＳＤ（１）情報及びＭＳ１に関する他の情報により、ＭＳにアップリンクリソース及びアップリンク送信電力配置情報を割り当てる。
【０１４３】
当該実施例において、セクターインデックス情報によって基地局に送信する一つのアップリンク送信電力スペクトル密度情報の対応する周波数分割領域を確定し、端末が該ＦＰの対応するＵＬＴ×ＰＳＤ情報を基地局に送信することで、基地局が当該ＦＰを割り当てるとき、端末から割り当てられたＦＰのＵＬＴ×ＰＳＤ情報を送信してもらわなくてもよくなった。
［好適の実施例１１］
【０１４４】
本実施例においても、図１に示すような周波数分割領域を備えるＢＳをＢＳ１をとして、ＭＳ１のサービス基地局がＢＳ１である。以下、本発明に係わる電力状態情報の処理方法について詳しく説明する。当該方法は以下のステップが含まれる。
【０１４５】
（１）ＭＳ１はダウンリンクチャネルを介して測定評価し、ダウンリンク伝搬損失値Ｌを算出する。ここで、ＬはＢＳ１とＭＳ１との間のダウンリンク伝搬損失値とＭＳ１の送信アンテナ利得との組み合わせ、又はダウンリンク伝搬損失値とＭＳ１の送信アンテナ利得のいずれか一項であることが可能である。
【０１４６】
（２）ＭＳ１はＢＳ１がＦＰ（ｉ）におけるアップリンク干渉と雑音値ＮＩ（ｉ）を得る。ここで、前記ＮＩ（ｉ）はＦＰ（ｉ）のアップリンク干渉と雑音値で、ｉはＦＰのインデックス番号である。本実施例において、利用可能な周波数リソースを多くとも四つのＦＰに分けることとして、０≦ｉ≦３で、且つｉが整数である。ＮＩ（ｉ）はＭＳ１がＢＳ１に送信されたダウンリンクシグナリングから得られたものである。
【０１４７】
ここで、ＦＰ（ｉ）は以下の方法によって選択できる。
ＧａｍｍａＩｏＴ  ＦＰレベル指示情報がＩＮＦでないＦＰ集合の中の一番目のＦＰ、又は最後のＦＰ、又はインデックス番号が一番小さいＦＰ、又はインデックス番号が一番大きいＦＰ、又は特定のインデックスのＦＰである。ここで、ＧａｍｍａＩｏＴ  ＦＰは相応のＦＰのアップリンクＩｏＴ（Ｉｎｔｅｒｆｅｒｅｎｃｅ  ｏｖｅｒ  Ｔｈｅｒｍａｌ、干渉電力の雑音電力に対する上昇レベル）の制御因子であり、端末のアップリンク送信電力を制御することによりアップリンクＩｏＴレベルを制御する。アップリンク（Ｕｐｌｉｎｋ、ＵＬと略称）ＧａｍｍａＩｏＴ  ＦＰはＮ（Ｎは１以上の整数である）個のビットで量子化して、それぞれのＵＬ  ＧａｍｍａｌｏＴ  ＦＰの値は相応のＦＰのさまざまなアップリンクＩｏＴレベルが反映できる。ＩＮＦはＦＰのアップリンクＩｏＴレベルが無限大又は無限小を意味し、即ちＧａｍｍａｌｏＴ  ＦＰの値がＩＮＦである場合、当該ＦＰが使用不可である。例えばＩＮＦ＝０。
【０１４８】
雑音と干渉（Ｎｏｉｓｅ  ａｎｄ  Ｉｎｔｅｒｆｅｒｅｎｃｅ、ＮＩと略称）のレベルがＩＮＦでないＦＰ集合の中の一番目のＦＰ、又はＢＳ１がサポートしているＦＰの中の最後のＦＰ、又はインデックス番号が一番小さいＦＰ、又はインデックス番号が一番大きいＦＰ、又は基地局にサポートされているＦＰの中の特定のインデックスのＦＰである。ここで、ＮＩは周波数分割領域における雑音と干渉の強度値で、ＩＮＦはＦＰのアップリンクレベルが無限大又は無限小を意味し、即ち、ＮＩの値がＩＮＦである場合、当該ＦＰが使用不可である。
【０１４９】
（３）ＭＳ１は下記の公式によって一つ又は複数のＦＰのアップリンク送信電力スペクトル密度を計算する。
ＵＬＴ×ＰＳＤ（ｉ）＝Ｌ＋ＮＩ（ｉ）
【０１５０】
（４）ＭＳ１は上記算出された一つ又は複数のＦＰが対応するＵＬＴ×ＰＳＤ（ｉ）情報の一部又は全部を、アップリンクチャネルを介してＢＳ１に送信する。
【０１５１】
（５）ＢＳ１はＭＳ１からのＵＬＴ×ＰＳＤ（ｉ）情報を受信し、前記ＵＬＴ×ＰＳＤ（ｉ）情報及びＭＳ１に関する他の情報により、ＭＳ１にアップリンクリソース及びアップリンク送信電力配置情報を割り当てる。
【０１５２】
当該実施例において、基地局にサポートされているＦＰの範囲を更に限定し、当該範囲内のいずれのＦＰのＵＬＴ×ＰＳＤ（ｉ）情報を生成するかを予め確定することで、端末ＭＳ１が一つのアップリンク送信電力スペクトル密度を生成するときにＦＰを選択する操作を省くとともに、実用性を高めた。
【０１５３】
上述のように、本発明によれば、基地局が一つ又は複数のＵＬＴ×ＰＳＤ情報を一括で獲得して、従来技術における複数のＦＰを割り当てる場合、基地局が逐次に各ＦＰのＵＬＴ×ＰＳＤ情報を送信するという課題を解決し、シグナリングの相互作用を軽減して、リソースを節約した。また、基地局が端末のアップリンク送信電力スペクトル密度情報を獲得することで、アップリンクチャネルの情報を正確に推定できるようになり、端末に送信電力を適切に設定し、弾力性を持ってセル間のアップリンク干渉を制御して、ネットワークのパフォーマンスを最良化できる。
【０１５４】
言うまでもなく、上述した本発明の各モジュールまたはステップは、汎用のコンピュータ装置により実現でき、単一のコンピュータ装置上に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行できる。或いは、それぞれ各々の集積回路モジュールに作成したり、それらの中の複数のモジュールまたはステップを単一の集積回路モジュールに作成して実現できる。このように、本発明は、いずれの特定のハードウェアとソフトウェアの組み合わせにも限定されない。
【０１５５】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【符号の説明】
【０１５６】
１      端末
２      アップリンク送信電力スペクトル密度（ＵＬＴ×ＰＳＤ）情報
３      基地局
３２      送信モジュール
５２      受信モジュール
６０２      第一計算モジュール
６０４      第ニ計算モジュール
【図１】
2013521679.tif 000003
【図２】
2013521679.tif 000004
【図３】
2013521679.tif 000005
【図４】
2013521679.tif 000006
【図５】
2013521679.tif 000007
【図６】
2013521679.tif 000008
【国際調査報告】
2013521679.tif 000009
2013521679.tif 000010
2013521679.tif 000011
2013521679.tif 000012